(57)【要約】【課題】水の腐敗による異臭の発生を防ぎ、高温加湿空気が、室内空間への供給を妨げられることない空気調和機を提供することを目的とする。【解決手段】少なくとも空気中から水分を吸着する静止式吸湿体１０、空気を搬送する減圧手段１２、前記静止式吸湿体１０から脱離した水分を含む空気が通過する脱離空気部１１を有する室外機１と、前記水分を含む空気を搬送する搬送路１３と、前記室外機１と前記搬送路１３により接続された室内機２とを備え、前記減圧手段１２と前記搬送路１３との間と搬送路出口とに切換弁（５ａ、５ｂ、５ｃ、５ｄ、５ｅ）を設け、前記切換弁（５ａ、５ｂ、５ｃ、５ｄ、５ｅ）にて、前記減圧手段１２の二次側１２ｂと前記脱離空気部１１とを連通させ、かつ、前記搬送路出口を閉塞状態にすることで、前記搬送路１３間に残留した水分を回収させるように構成したものである。【選択図】図１
2006112724.tif 000002
【特許請求の範囲】
【請求項１】
少なくとも空気中から水分を吸着する静止式吸湿体、空気を搬送する減圧手段、前記静止式吸湿体から脱離した水分を含む空気が通過する脱離空気部を有する室外機と、前記水分を含む空気を搬送する搬送路と、前記室外機と前記搬送路により接続された室内機とを備え、前記減圧手段と前記搬送路との間と前記搬送路出口とに切換弁を設け、前記切換弁にて、前記減圧手段の二次側と前記脱離空気部とを連通させ、かつ、前記搬送路出口を閉塞状態にすることで、前記搬送路間に残留した水分を回収させるように構成した空気調和機。
【請求項２】
切換弁にて、減圧手段の二次側と脱離空気部とを連通させ、かつ、搬送路出口を閉塞状態にすることで、搬送路間に残留した水分を回収させる動作を、機器運転の開始時および／または終了時に実施するようにした請求項１記載の空気調和機。
【請求項３】
切換弁にて、減圧手段の二次側と脱離空気部とを連通させ、かつ、搬送路出口を閉塞状態にすることで、搬送路間に残留した水分を回収させる動作を、加湿運転の開始時および／または終了時に実施するようにした請求項１または２記載の空気調和機。
【請求項４】
減圧手段と搬送路との間に設けた切換弁を、四方弁とした請求項１〜３のいずれか１項に記載の空気調和機。
【請求項５】
減圧手段が真空ポンプであることを特徴とする請求項１〜４のいずれか１項に記載の空気調和機。
【発明の詳細な説明】
【技術分野】
【０００１】
本発明は、室内空気を加湿する機能を備えた空気調和機に関するものである。
【背景技術】
【０００２】
従来、この種の空気調和機は、室外空気中の水蒸気を吸着した吸湿体から脱離した水分を含む高温高湿空気を、結露手段により冷却して水分を結露させる。結露手段で結露した水は送水手段により吸入して吐出され、送水通路を通って室内ユニットに送られる。室内ユニットは、送水通路を通して導入された水を利用して室内を加湿している（例えば、特許文献１参照）。
【特許文献１】特開２００２−３１７９７０号広報
【発明の開示】
【発明が解決しようとする課題】
【０００３】
しかしながら、前記従来の構成では、運転終了後室外空気中の水蒸気を吸着した静止式吸湿体から脱離した水分を含む高温高湿空気を搬送するための搬送路内に水分が残留し、菌の堆積あるいは滞留により水が腐敗しその結果室内空間への異臭発生の原因となるという課題を有していた。また、室外空気温度が氷点下の場合、搬送路内に残留した水が凍結した状態で運転を開始するために室内機へ水を供給できなくなるという課題を有していた。
【０００４】
本発明は、前記従来の課題を解決するもので、水の腐敗による異臭の発生を防ぎ、高温加湿空気が、室内空間への供給を妨げられることない空気調和機を提供することを目的とする。
【課題を解決するための手段】
【０００５】
前記従来の課題を解決するために、本発明の空気調和機は、少なくとも空気中から水分を吸着する静止式吸湿体、空気を搬送する減圧手段、前記静止式吸湿体から脱離した水分を含む空気が通過する脱離空気部を有する室外機と、前記水分を含む空気を搬送する搬送路と、前記室外機と前記搬送路により接続された室内機とを備え、前記減圧手段と前記搬送路との間と前記搬送路出口とに切換弁を設け、前記切換弁にて、前記減圧手段の二次側と前記脱離空気部とを連通させ、かつ、前記搬送路出口を閉塞状態にすることで、前記搬送路間に残留した水分を回収させるように構成したものである。
【０００６】
これにより、切換弁にて減圧手段の二次側と脱離空気部とを連通するように、すなわち減圧手段の一次側と搬送路を連通させ、また室内機への搬送路出口を閉塞状態にさせて、減圧手段を運転させることにより、搬送路内を真空の状態にし、室外の温度に関わらず氷点下領域においても残留した水分を排除することができ、搬送路内には水が残留することがないため、水の腐敗による異臭の発生を防ぎ、また室外が氷点下時においても室内空間へ水を供給することができる。
【発明の効果】
【０００７】
本発明によれば、水の腐敗による異臭の発生を防ぎ、高温加湿空気が、室内空間への供給を妨げられることない空気調和機を提供できる。
【発明を実施するための最良の形態】
【０００８】
第１〜３の発明は、少なくとも空気中から水分を吸着する静止式吸湿体、空気を搬送する減圧手段、前記静止式吸湿体から脱離した水分を含む空気が通過する脱離空気部を有す
る室外機と、前記水分を含む空気を搬送する搬送路と、前記室外機と前記搬送路により接続された室内機とを備え、前記減圧手段と前記搬送路との間と前記搬送路出口とに切換弁を設け、前記切換弁にて、前記減圧手段の二次側と前記脱離空気部とを連通させ、かつ、前記搬送路出口を閉塞状態にすることで、前記搬送路間に残留した水分を回収させるように構成したものである。
【０００９】
これにより、減圧手段と室内機への搬送路との間と室内機への搬送路出口に切換弁を配置させ、機器の運転開始時や終了時、さらには加湿運転の開始時や終了時の、搬送路内の水の排除時には、減圧手段の二次側と脱離空気部とを連通するように、すなわち減圧手段の一次側と搬送路を連通させ、また室内機への搬送路出口を閉塞状態にさせて減圧手段を運転させることにより、搬送路内を真空の状態にし、室外の温度に関わらず氷点下領域においても残留した水分を排除することができ、搬送路内には水が残留することがないため、水の腐敗による異臭の発生を防ぎ、また室外が氷点下時においても室内空間へ水を供給することができる。る。
【００１０】
第４の発明は、切換弁を四方弁とすることで、複数個必要な弁を１個で同様の効果をもつ構成とすることができる。
【００１１】
第５の発明は、減圧手段として真空ポンプを用いることにより、より真空度を上げることができ、短時間で水の排除を行うことができる。
【００１２】
（実施の形態１）
図１は、本発明の第１の実施の形態における空気調和機断面構成図を示すものである。
【００１３】
図１において、空気調和機は、室外に配置された室外機１と、室内に配置された室内機２とを備えている。室内機２には、室内熱交換器３と室内ファン（図示せず）と供給部４とが配置されている。供給部４の出口には切換弁５ａが接続されている。室外機１には、室外熱交換器ユニット６および加湿ユニット７より構成されている。
【００１４】
室外熱交換器ユニット６には、圧縮機（図示せず）と室外熱交換器９と室外ファン８とが配置されている。暖房運転時には、圧縮機より吐出された高温ガス冷媒が冷媒配管（図示せず）によって室内熱交換器３に送られ、凝縮された高圧液冷媒は減圧機構（図示せず）を介して減圧されて室外熱交換器９に送られ圧縮機に戻される。
【００１５】
加湿ユニット７は、静止式吸湿体１０と、静止式吸湿体１０の上側に脱離空気部１１とが配置されている。静止式吸湿体１０はゼオライトやシリカゲル等の吸湿材を担持し、加熱手段である脱離ヒータ（図示せず）を含んだ構成とされている。脱離空気部１１には減圧手段である減圧ポンプ１２の一次側１２ａと二次側１２ｂがともに切換弁５ｂ、５ｃを介して接続され、室内機２への搬送路１３にも切換弁５ｄ、５ｅを介して減圧ポンプ１２の一次側１２ａと二次側１２ｂが接続されている。静止式吸湿体１０の上流側には、室外空気を吸い込む吸気口１４が配置されている。静止式吸湿体１０の下流側には、吸着用送風手段である吸着ファン１５と排気口１６が配置されている。
【００１６】
以上のように構成された空気調和機について、以下その動作、作用を説明する。
【００１７】
図２は、本発明の第１の実施の形態における水回収時の減圧ポンプ１２と切換弁５を示すものである。
【００１８】
図２において、水搬送時は図２（ａ）のように供給部４の出口に配置された切換弁５ａは開、脱離空気部１１と減圧ポンプ１２の一次側１２ａ間に配置された切換弁５ｂは開、
脱離空気部１１と減圧ポンプ１２の二次側１２ｂ間に配置された切換弁５ｃは閉、室内機２への搬送路１３と減圧ポンプ１２の一次側１２ａ間に配置された切換弁５ｄは閉、室内機２への搬送路１３と減圧ポンプ１２の二次側１２ｂ間に配置された切換弁５ｅは開、の状態となっている。
【００１９】
このとき、脱離動作時には脱離ヒータにより均一に加熱された静止式吸湿体１０は、室外空気が通過することにより、吸着動作時に吸着された水分を脱離させる。静止式吸湿体１０を通過した室外空気は、脱離した水分を含む高温高湿空気となり、静止式吸湿体１０上方の脱離空気部１１へと自然気化上昇し、減圧ポンプ１２によって搬送路１３へと導入される。
【００２０】
搬送路１３はポリエチレン等の樹脂で成形されており、減圧ポンプ１２により搬送路１３へと導入された高温高湿空気は、切換弁５ｂから減圧ポンプ１２の一次側１２ａへ入り減圧ポンプ１２の二次側１２ｂから吐出された高温高湿空気は切換弁５ｅを通過し搬送路１３を通って供給部４の出口に設けられた切換弁５ａと通り室内空間へ供給される。
【００２１】
運転終了時には搬送路１３内の水を回収するため、図２（ｂ）のように供給部４の出口に配置された切換弁５ａは閉、脱離空気部１１と減圧ポンプ１２の一次側１２ａ間に配置された切換弁５ｂは閉、脱離空気部１１と減圧ポンプ１２の二次側１２ｂ間に配置された切換弁５ｃは開、室内機２への搬送路１３と減圧ポンプ１２の一次側１２ａ間に配置された切換弁５ｄは開、室内機２への搬送路１３と減圧ポンプ１２の二次側１２ｂ間に配置された切換弁５ｅは閉、の状態となっている。
【００２２】
このとき、減圧ポンプ１２を動作させることにより供給部４と減圧ポンプ１２間を真空状態になるので搬送路１３内に残留された水分は、供給部４から切換弁５ｄを通り減圧ポンプ１２の一次側１２ａに入り減圧ポンプ１２の二次側１２ｂから吐出され、室外空間へと排出される。また、運転開始時にも同様の運転を行うことにより、運転停止中に搬送路１３内に発生した結露水は室外空間へと排出される。
【００２３】
以上のように、本実施の形態においては、減圧ポンプ１２と室内機２への搬送路１３との間と室内機２への搬送路１３出口に切換弁５ａを配置させることにより、同一の減圧ポンプ１２を用いて室内側へ水分を供給と搬送路１３内の水の排除を行うことができる。従って、搬送路１３内に水が残留しないので、水の腐敗による異臭の発生を防ぎ、また室外が氷点下時においても運転開始時に、搬送路１３内に水が存在しないために、高温加湿空気が搬送路１３内に発生した氷によって室内空間への供給を妨げられることなく室内空間を加湿することができる。
【００２４】
なお、上記同一の減圧ポンプ１２を用いて室内側へ水分を供給と搬送路１３内の水の排除を行う動作は、搬送路１３内に水が存在しないためにも、機器運転の開始時や終了時、さらには加湿運転の開始時や終了時に行うことが望ましい。
【００２５】
（実施の形態２）
図３は、本発明の第２の実施の形態における空気調和機断面構成図を示すものである。
【００２６】
図３において、脱離空気部１１、室内への搬送路１３と減圧ポンプ１２間に四方弁１７を配置している。図４において、図４（ａ）は水搬送時における四方弁１７のスライドバルブ１８の位置を示している。電磁コイル（図示せず）により動作させられたスライドバルブ１８は脱離空気部１１と減圧ポンプ１２の一次側１２ａ、搬送路１３と減圧ポンプ１２の二次側１２ｂを連通させている。この構成により、実施の形態１の図２の（ａ）と同様の構成を実現可能である。
【００２７】
また、図４（ｂ）は水回収時の四方弁１７のスライドバルブ１８の位置を示している。電磁コイル（図示せず）により動作させられたスライドバルブ１８は脱離空気部１１と減圧ポンプ１２の二次側１２ｂ、搬送路１３と減圧ポンプ１２の一次側１２ａを連通させている。
【００２８】
この構成により、実施の形態１の図２（ｂ）と同様の構成を実現可能である。本実施の形態では、四方弁１７を用いることにより、５個必要であった切換弁５が１個で同様な構成を組むことができるので、省スペース化が図れるとともにコスト削減が可能である。
【００２９】
また、本実施の形態では、減圧ポンプ１２を真空ポンプとすることにより、真空度を上げることができ短時間で水の排除を行うことができる。
【図面の簡単な説明】
【００３０】
【図１】本発明の実施の形態１における空気調和機の断面構成図
【図２】（ａ）本発明の実施の形態１における減圧ポンプと切換弁の構成図（室内側加湿時）（ｂ）本発明の実施の形態１における減圧ポンプと切換弁の構成図（水分回収時）
【図３】本発明の実施の形態２における空気調和機の断面構成図
【図４】（ａ）本発明の実施の形態２における減圧ポンプと四方弁と切換弁の構成図（室内側加湿時）（ｂ）本発明の実施の形態２における減圧ポンプと四方弁と切換弁の構成図（水分回収時）
【図５】従来の空気調和機の断面構成図
【符号の説明】
【００３１】
１  室外機
２  室内機
３  室内熱交換器
４  供給部
５ａ、５ｂ、５ｃ、５ｄ、５ｅ  切換弁
６  室外熱交換ユニット
７  加湿ユニット
８  室外ファン
９  室外熱交換器
１０  静止式吸湿体
１１  脱離空気部
１２  減圧ポンプ
１２ａ  一次側
１２ｂ  二次側
１３  搬送路
１４  吸気口
１５  吸着ファン
１６  排気口
１７  四方弁
１８  スライドバルブ
【図１】
2006112724.tif 000003
【図２】
2006112724.tif 000004
【図３】
2006112724.tif 000005
【図４】
2006112724.tif 000006
【図５】
2006112724.tif 000007